(57)【特許請求の範囲】
【請求項１】
制御される機能を有する装置本体と、
前記機能を制御する制御基板と、前記制御基板を保持する保持部材とを有する基板アセンブリと、
前記装置本体に設けられ、前記基板アセンブリの前記制御基板が電気的に接続される接続部と、
前記装置本体に形成され、前記制御基板の前記接続部への接続の際に前記基板アセンブリが挿入される第１挿入口と、
前記装置本体に形成された第２挿入口と、
前記基板アセンブリが前記第２挿入口に挿入される際、前記基板アセンブリの一部と干渉して、前記基板アセンブリが前記第２挿入口に誤挿入されることを防止する一方、前記基板アセンブリが前記第１挿入口に挿入される際、前記基板アセンブリと干渉せず、前記基板アセンブリが前記第１挿入口に挿入されることを許容する誤挿入防止部と、
を備え、
前記誤挿入防止部は、前記保持部材に形成され、前記制御基板が前記第２挿入口に誤挿入されることを防止するための誤挿入防止片と、前記第１挿入口の近傍位置で前記装置本体に形成され、前記誤挿入防止片が挿通可能な開口とを有し、
前記基板アセンブリが前記第２挿入口に挿入される際、前記誤挿入防止片は、前記装置本体に衝突することで、前記基板アセンブリの前記第２挿入口への誤挿入を防止する一方、前記基板アセンブリが前記第１挿入口に挿入される際、前記誤挿入防止片は前記開口に挿通され、前記基板アセンブリの前記第１挿入口への挿入が許容され、
前記装置本体は、前記接続部を覆うカバー部材を有し、
前記カバー部材は、前記第１挿入口および前記第２挿入口が形成されていると共に、前記基板アセンブリが前記第１挿入口に挿入される挿入方向に向く側面を有しており、
前記開口は、前記カバー部材の前記側面に形成されており、
前記誤挿入防止片は、前記保持部材から前記制御基板の基板面と略平行に延設され、前記制御基板に関する情報が記載されたラベルを貼り付けるための貼り付け面を有しており、
前記カバー部材は、前記貼り付け面に対向して開口され、前記制御基板が前記接続部に接続された状態で前記ラベルを外部に露出させて前記ラベルの視認を許容する窓部を有する電気機器。
【請求項２】
制御される機能を有する装置本体と、
前記機能を制御する制御基板と、前記制御基板を保持する保持部材とを有する基板アセンブリと、
前記装置本体に設けられ、前記基板アセンブリの前記制御基板が電気的に接続される接続部と、
前記装置本体に形成され、前記制御基板の前記接続部への接続の際に前記基板アセンブリが挿入される第１挿入口と、
前記装置本体に形成された第２挿入口と、
前記基板アセンブリが前記第２挿入口に挿入される際、前記基板アセンブリの一部と干渉して、前記基板アセンブリが前記第２挿入口に誤挿入されることを防止する一方、前記基板アセンブリが前記第１挿入口に挿入される際、前記基板アセンブリと干渉せず、前記基板アセンブリが前記第１挿入口に挿入されることを許容する誤挿入防止部と、
を備え、
前記誤挿入防止部は、前記保持部材に形成され、前記制御基板が前記第２挿入口に誤挿入されることを防止するための誤挿入防止片と、前記第１挿入口の近傍位置で前記装置本体に形成され、前記誤挿入防止片が挿通可能な開口とを有し、
前記基板アセンブリが前記第２挿入口に挿入される際、前記誤挿入防止片は、前記装置本体に衝突することで、前記基板アセンブリの前記第２挿入口への誤挿入を防止する一方、前記基板アセンブリが前記第１挿入口に挿入される際、前記誤挿入防止片は前記開口に挿通され、前記基板アセンブリの前記第１挿入口への挿入が許容され、
前記装置本体は、前記接続部を覆うカバー部材を有し、
前記カバー部材は、前記第１挿入口および前記第２挿入口が形成されていると共に、前記基板アセンブリが前記第１挿入口に挿入される挿入方向に向く側面を有しており、
前記開口は、前記カバー部材の前記側面に形成されており、
前記カバー部材は、前記接続部を覆う第１カバー部材と、外装を構成する第２カバー部材とを含み、
前記第１カバー部材は、前記第１挿入口および前記第２挿入口が形成され、前記基板アセンブリの前記挿入方向に向く第１側面を有し、
前記第２カバー部材は、前記第１側面に隣接し、前記基板アセンブリの前記挿入方向に向く第２側面を有し、
前記開口は、前記第２側面に形成されている電気機器。
【請求項３】
請求項２に記載の電気機器において、
前記開口は、前記第２側面における前記第１側面側の縁部を切り欠くことで形成されている電気機器。
【請求項４】
請求項２または３に記載の電気機器において、
前記誤挿入防止片は、前記制御基板に関する情報が記載されたラベルを貼り付けるための貼り付け面を有しており、
前記第２カバー部材は、前記制御基板が前記接続部に接続された状態で外部からの前記ラベルの視認を許容する窓部を有する電気機器。
【請求項５】
シート上にトナー像を形成する装置本体を有する画像形成装置であって、前記装置本体が請求項１〜４のいずれか一項に記載の装置本体である画像形成装置。
【請求項６】
請求項５に記載の画像形成装置において、
前記装置本体において制御される機能は、オプションで前記装置本体に追加されるオプション機能であり、
前記制御基板は、前記オプション機能を制御する制御基板である画像形成装置。
【請求項７】
請求項６に記載の画像形成装置において、
前記オプション機能はファクシミリ機能であり、
前記制御基板は、前記ファクシミリ機能を制御するファクシミリ基板である画像形成装置。
【発明の詳細な説明】
【技術分野】
【０００１】
本発明は、電機機器に関し、特に画像形成装置に関する。
【背景技術】
【０００２】
複写機等の画像形成装置は、オプションでファクシミリ機能を追加することができる。ファクシミリ機能を追加するためには、画像形成装置の主制御基板にファクシミリ基板を接続させる必要がある。ファクシミリ基板の接続は、メーカーのサービスマンによって行われる（特許文献１）。
【０００３】
画像形成装置は、通常、ファクシミリ基板接続用の第１スロットだけでなく、他のオプション基板接続用の第２スロットを有している。第１スロットおよび第２スロットは互いに略同一の形状を有しているが、ファクシミリ基板の接続は、メーカーのサービスマンによって行われるため、ファクシミリ基板が第２スロットに誤挿入される心配はない。
【先行技術文献】
【特許文献】
【０００４】
【特許文献１】特開２００７−１６６２０９号公報
【発明の概要】
【発明が解決しようとする課題】
【０００５】
しかしながら、第１スロットおよび第２スロットは互いに略同一の形状を有しているため、ファクシミリ基板がユーザによって行われる場合、ファクシミリ基板が第２スロットに誤挿入される虞がある。
【０００６】
そこで、本発明は、オプションで追加される制御基板のスロットへの誤挿入を防止することが可能な電気機器および画像形成装置を提供することを目的とする。
【課題を解決するための手段】
【０００７】
上記目的を達成するために、本発明に係る電気機器は、制御される機能を有する装置本体と、前記機能を制御する制御基板と、前記制御基板を保持する保持部材とを有する基板アセンブリと、前記装置本体に設けられ、前記基板アセンブリの前記制御基板が電気的に接続される接続部と、前記装置本体に形成され、前記制御基板の前記接続部への接続の際に前記基板アセンブリが挿入される第１挿入口と、前記装置本体に形成された第２挿入口と、前記基板アセンブリが前記第２挿入口に挿入される際、前記基板アセンブリの一部と干渉して、前記基板アセンブリが前記第２挿入口に誤挿入されることを防止する一方、前記基板アセンブリが前記第１挿入口に挿入される際、前記基板アセンブリと干渉せず、前記基板アセンブリが前記第１挿入口に挿入されることを許容する誤挿入防止部とを含む。
【０００８】
本発明に係る電気機器は、誤挿入防止部を備えている。誤挿入防止部は、基板アセンブリが第２挿入口に挿入される際、基板アセンブリの一部と干渉して、基板アセンブリが第２挿入口に誤挿入されることを防止する。これにより、基板アセンブリが誤挿入されていることが認識され、基板アセンブリは第１挿入口に正しく挿入される。
【０００９】
本発明の好ましい実施形態では、前記誤挿入防止部は、前記保持部材に形成され、前記制御基板が前記第２挿入口に誤挿入されることを防止するための誤挿入防止片と、前記第１挿入口の近傍位置で前記装置本体に形成され、前記誤挿入防止片が挿通可能な開口とを有する。そして、前記基板アセンブリが前記第２挿入口に挿入される際、前記誤挿入防止片は、前記装置本体に衝突することで、前記基板アセンブリの前記第２挿入口への誤挿入を防止する一方、前記基板アセンブリが前記第１挿入口に挿入される際、前記誤挿入防止片は前記開口に挿通され、前記基板アセンブリの前記第１挿入口への挿入が許容される。
【００１０】
この構成によれば、保持部材には、誤挿入防止片が形成され、装置本体には、誤挿入防止片が挿通可能な開口が形成されている。誤挿入防止片は、基板アセンブリが第２挿入口に挿入される際、装置本体に衝突することで、基板アセンブリの第２挿入口への挿入を防止する。一方、誤挿入防止片は、基板アセンブリが第１挿入口に挿入される際、開口に挿通され、基板アセンブリの第１挿入口への挿入が許容される。このように、本発明に係る電気機器では、誤挿入防止片による単純な干渉構造で基板アセンブリの誤挿入を防止している。
【００１１】
本発明の他の好ましい実施形態では、前記装置本体は、前記接続部を覆うカバー部材を有し、前記カバー部材は、前記第１挿入口および前記第２挿入口が形成されていると共に、前記基板アセンブリが前記第１挿入口に挿入される挿入方向に向く側面を有しており、前記開口は、前記カバー部材の前記側面に形成されている。
【００１２】
この構成によれば、開口はカバー部材の側面に形成されている。したがって、基板アセンブリが第２挿入口に誤挿入される際、誤挿入防止片はカバー部材に衝突して、基板アセンブリの第２挿入口への誤挿入を防止する。このように、開口をカバー部材の側面に形成した場合であっても、誤挿入防止片による単純な干渉構造で基板アセンブリの誤挿入を防止できる。
【００１３】
本発明のさらに他の好ましい実施形態では、前記誤挿入防止片は、前記制御基板に関する情報が記載されたラベルを貼り付けるための貼り付け面を有しており、前記カバー部材は、前記制御基板が前記接続部に接続された状態で外部からの前記ラベルの視認を許容する窓部を有する。
【００１４】
この構成によれば、ラベルは窓部を通して視認可能なので、制御基板に関する情報を確認することが容易である。
【００１５】
本発明のさらに他の好ましい実施形態では、前記カバー部材は、前記接続部を覆う第１カバー部材と、外装を構成する第２カバー部材とを含み、前記第１カバー部材は、前記第１挿入口および前記第２挿入口が形成され、前記基板アセンブリの前記挿入方向に向く第１側面を有し、前記第２カバー部材は、前記第１側面に隣接し、前記基板アセンブリの前記挿入方向に向く第２側面を有し、前記開口は、前記第２側面に形成されている。
【００１６】
この構成によれば、開口は第２カバー部材の第２側面に形成されている。したがって、基板アセンブリが第２挿入口に誤挿入される際、誤挿入防止片は、第２カバー部材の第２側面に衝突して、基板アセンブリの第２挿入口への誤挿入を防止する。このように、開口を第２カバー部材の第２側面に形成した場合であっても、誤挿入防止片による単純な干渉構造で基板アセンブリの誤挿入を防止できる。
【００１７】
本発明のさらに他の好ましい実施形態では、前記開口は、前記第２側面における前記第１側面側の縁部を切り欠くことで形成されている。
【００１８】
この構成によれば、開口は第２側面における第１側面側の縁部に形成されている。したがって、基板アセンブリが第２挿入口に誤挿入される際、誤挿入防止片は、第２側面の前記縁部に衝突して、基板アセンブリの第２挿入口への誤挿入を防止する。このように、開口を第２側面の前記縁部に形成した場合であっても、誤挿入防止片による単純な干渉構造で基板アセンブリの誤挿入を防止できる。また、開口を第２側面の前記縁部に形成する場合、複雑な機械加工が要求されない。
【００１９】
本発明のさらに他の好ましい実施形態では、前記誤挿入防止片は、前記制御基板に関する情報が記載されたラベルを貼り付けるための貼り付け面を有しており、前記第２カバー部材は、前記制御基板が前記接続部に接続された状態で外部からの前記ラベルの視認を許容する窓部を有する。
【００２０】
この構成によれば、ラベルは窓部を通して視認可能なので、制御基板に関する情報を確認することが容易である。
【００２１】
本発明に係る画像形成装置は、シート上にトナー像を形成する装置本体を有する画像形成装置であって、前記装置本体が上記構成の装置本体である。
【００２２】
本発明に係る画像形成装置は誤挿入防止部を備えているので、ユーザにとって扱い易い装置である。
【００２３】
本発明のさらに他の好ましい実施形態では、前記装置本体において制御される機能は、オプションで前記装置本体に追加されるオプション機能であり、前記制御基板は、前記オプション機能を制御する制御基板である。
【００２４】
画像形成装置は誤挿入防止部を備えているので、オプションで制御基板を接続することが容易である。
【００２５】
本発明のさらに他の好ましい実施形態では、前記オプション機能はファクシミリ機能であり、前記制御基板は、前記ファクシミリ機能を制御するファクシミリ基板である。
【００２６】
画像形成装置は誤挿入防止部を備えているので、オプションでファクシミリ基板を接続することが容易である。
【発明の効果】
【００２７】
本発明に係る電気機器および画像形成装置によれば、誤挿入防止部により、基板アセンブリが第２挿入口に誤挿入されることを防止できる。これにより、基板アセンブリが誤挿入されていることが認識され、基板アセンブリは第１挿入口に正しく挿入される。
【図面の簡単な説明】
【００２８】
【図１】本発明の一実施形態に係る画像形成装置を斜め前方から見た外観斜視図である。
【図２】画像形成装置を斜め後方から見た外観斜視図である。
【図３】背面カバーおよび増設用カバーを外した状態の画像形成装置の背面斜視図である。
【図４】画像形成装置の装置本体の背面フレームに固定されたコントローラボックスの拡大斜視図である。
【図５】ファクシミリ基板アセンブリの斜視図である。
【図６】ファクシミリ基板、主制御基板および第１コネクタを示す模式図である。
【図７】背面カバーの一部拡大斜視図であり、コントローラボックスの左側板に対する近傍部分を示す。
【図８】コントローラボックスの拡大斜視図であり、第１スロットにファクシミリ基板が挿入され、第２スロットにコンパクトフラッシュメモリが挿入された状態を示す。
【発明を実施するための形態】
【００２９】
以下、図面に基づいて、本発明の実施形態につき詳細に説明する。図１は、本発明の一実施形態に係る画像形成装置１を斜め前方から見た外観斜視図であり、図２は、画像形成装置１を斜め後方から見た外観斜視図である。画像形成装置１は、本発明に係る電気機器の一例であり、胴内排紙型の複合機を例示している。なお、「上」、「下」、「左」、「右」、「前」や「後」などの方向を表す用語は、単に、説明の明瞭化を目的とするものであり、何ら本発明を限定するものではない。
【００３０】
画像形成装置１は、略直方体形状の筐体構造を有し、胴内空間（胴内排紙部２４）を備えた装置本体２を備える。装置本体２は、シートに対して画像形成処理を行う。装置本体２は、略直方体形状の下部筐体２１と、下部筐体２１の上方に配設される略直方体形状の上部筐体２２と、下部筐体２１と上部筐体２２とを連結する連結筐体２３とを含む。下部筐体２１には画像形成のための各種機器が収容され、上部筐体２２には原稿画像を光学的に読み取るための各種機器が収容されている。下部筐体２１、上部筐体２２及び連結筐体２３で囲まれる胴内空間が、画像形成後のシートを収容可能な胴内排紙部２４とされている。
【００３１】
胴内排紙部２４として利用される前記胴内空間は、装置本体２の前面及び左側面において外部に開放されている。ユーザは、これらの開放部分から手を差し入れ、胴内排紙部２４から画像形成後のシートを取り出すことが可能である。前記胴内空間の底面２４１は、下部筐体２１の上面で区画される。
【００３２】
上部筐体２２の前面には、操作パネルユニット２５が突出して設けられている。操作パネルユニット２５は、テンキー、スタートキーなどを含む操作キー２５１及びＬＣＤタッチパネル２５２などを備え、ユーザからの各種の操作指示の入力を受け付ける。ユーザは、操作パネルユニット２５を通じて、印刷されるシートの枚数等を入力したり、印刷濃度等を入力したりすることができる。上部筐体２２の上には、画像が読み取られる原稿を押さえる押さえカバー２２６（図１では省いている）が配設されている。押さえカバー２２６は、その後端縁において上部筐体２２に対して回動可能に取り付けられている。
【００３３】
下部筐体２１には、画像形成処理が施されるシートを収容する給紙カセット２１１が装着されている。給紙カセット２１１は、下部筐体２１（装置本体２）の前面から手前方向に引出可能である。この給紙カセット２１１は、自動給紙用に設けられたカセットである。
【００３４】
装置本体２の内部には、画像形成部、定着部、シート搬送路などが配設されている。画像形成部は、給紙カセット２１１から供給される所定のシートにトナー像を転写して画像を形成するものであって、静電潜像を担持する感光ドラム、感光ドラムの表面を帯電させる帯電ユニット、原稿画像に対応する静電潜像を感光ドラムの表面にレーザビーム等によって形成する露光ユニット、形成された静電潜像に現像剤を付着させてトナー像を形成する現像ユニット、トナー像をシートに転写する転写ローラ、トナー像転写後に感光ドラム表面を除電する除電ユニット、感光ドラム表面の残留トナーを除去するクリーニングブレード等を備えている。また、定着部は、シート上に転写されたトナー像を該シート上に定着させる。シート搬送路は、給紙カセット２１１からのシートを、画像形成部、定着部、胴内排紙部２４の順に搬送する。シート搬送路には、シートを搬送するための複数のローラ対が配設されている。
【００３５】
上記構成の装置本体２は、画像形成装置１の外観を構成する複数の外装カバーを有する。そのような外装カバーとして、画像形成装置１の左側面の外観を構成する左側面カバー２６、画像形成装置１の背面の外観を構成する背面カバー２７、増設用カバー２８等が挙げられる。
【００３６】
左側面カバー２６は、下部筐体２１の左側面の外観を構成する下側カバー２６２と、上部筐体２２の左側面の外観を構成する上側カバー２６１とを含む。
【００３７】
増設用カバー２８は、左側面カバー２６における背面カバー２７寄りの部分から背面カバー２７における左側面カバー２６寄りの部分にわたる範囲において画像形成装置１の外観を構成している。増設用カバー２８は、スナップフィットによって装置本体２に取り付けられており、ユーザは増設用カバー２８の取り外しおよび取り付けを容易に行うことができる。
【００３８】
図３は、背面カバー２７および増設用カバー２８を外した状態の画像形成装置１の背面斜視図である。同図に示すように、背面カバー２７および増設用カバー２８を外すと、装置本体２の骨組みの一部を構成する背面フレーム３０が現れる。背面フレーム３０は、板金製の平板状フレームであって、前記画像形成部、前記定着部、前記シート搬送路のローラ対等を駆動するモータ３１や、装置本体２内で発生した熱を外部に排出するためのファン３２や、コントローラボックス３３等が配設されている。
【００３９】
コントローラボックス３３は、シート上にトナー像を形成する画像形成機能を制御するための主制御基板３４（図６）を収容する。コントローラボックス３３は、縦長のかつ扁平な形状を有する箱体であって、背面フレーム３０の表面に対して略平行に延びる平板部３５と、平板部３５の４つの縁部から背面フレーム３０に向かって延びる側板部とを有する。側板部は、平板部３５の上縁部から延びる上側板３６と、下縁部から延びる下側板３７と、左縁部から延びる左側板３８と、右縁から延びる右側板３９とを含む。コントローラボックス３３は、これらの側板３６，３７，３８，３９の先端部が背面フレーム３０の表面にビス等で固定されることで背面フレーム３０に固定される。コントローラボックス３３は、本発明の第１カバー部材の一例である。
【００４０】
コントローラボックス３３の平板部３５には、コントローラボックス３３内に収容されている主制御基板３４が発生させる熱を外部に排出するための排出孔４０が複数形成されている。そして、排出孔４０を覆うようにファン４１が取り付けられている。また、背面カバー２７におけるファン４１に対応する部分には、排気孔４３が設けられている。さらに、平板部３５におけるファン４１の下方位置には、増設メモリ用カバー４２が設けられている。増設用カバー２８を画像形成装置１から取り外した後、増設メモリ用カバー４２を取り外すことで、増設メモリを主制御基板３４に接続させることができる。
【００４１】
図４はコントローラボックス３３の拡大斜視図、特に左側板３８を示す拡大斜視図である。なお、図４では、増設用カバー２８のみが取り外された状態を示している。コントローラボックス３３の左側板３８には、増設基板を挿入するための複数のスロット、本実施形態では、第１スロット４４および第２スロット４５が貫設されている。第１スロット４４および第２スロット４５は、互いに同様な形状を有している。第１スロット４４には、例えばファクシミリ基板アセンブリのファクシミリ基板が挿入される。ファクシミリ基板は、ファクシミリ機能を制御する基板であり、ユーザによってオプションで画像形成装置１に追加されるものである。ユーザは、ファクシミリ基板を第１スロット４４に挿入して装置本体２に装着すると共に、電話機を装置本体２に設置することで、ファクシミリ機能を活用することができる。一方の第２スロット４５には、例えばコンパクトフラッシュ（登録商標）メモリが挿入される。第１スロット４４と第２スロット４５との間には、ＵＳＢポート４６およびＬＡＮポート４７が配設されている。第１スロット４４は、本発明の第１挿入口の一例であり、第２スロット４５は、本発明の第２挿入口の一例である。
【００４２】
図５は、ファクシミリ基板アセンブリ５０の斜視図である。ファクシミリ基板アセンブリ５０は、ファクシミリ基板５１と、保持部材５４とを含む。ファクシミリ基板５１は、第１基板５２と第２基板５３とからなる。保持部材５４は、ファクシミリ基板５１を保持する板金部材であって、Ｌ字形を呈する本体部５５と、本体部５５から一体に延設された延設片５６とを有する。
【００４３】
本体部５５は、ファクシミリ基板５１が第１スロット４４に挿入された状態でコントローラボックス３３の左側板３８に対して略並行に延びる細長の第１平板部５７と、第１平板部５７における長手方向に延びる一方の縁部に一体に形成され、第１平板部５７の長手方向に延びる細長の第２平板部５８とを有する。第２平板部５８は第１平板部５７に対して略９０度の角度をなしている。ファクシミリ基板５１の第１基板５２および第２基板５３は、互いに平行な位置関係で第１平板部５７にビス等で固定されている。
【００４４】
延設片５６は、第２平板部５８における第１平板部５７側の縁部とは反対側の縁部に一体に形成された薄板部である。延設片５６は、第２平板部５８から第２平板部５８の長手方向と略直行する方向に、かつ第１基板５２および第２基板５３に対して略平行な位置関係で延在している。延設片５６は、図５では、第２平板部５８における一方の長手方向端部から長手方向中間部にわたる領域から第２平板部５８の長手方向と略直行する方向に延在している。延設片５６は、本発明の誤挿入防止片の一例である。
【００４５】
延設片５６は、第１基板５２に略平行に対向する第１面５９と、第１面５９とは反対側の第２面６０とを有する。第２面６０は、ラベル６１が貼り付けられる貼り付け面として用いられている。ラベル６１は、ファクシミリ基板５１に関する情報が記載されている。ラベル６１は、例えば画像形成装置１の出荷国先の認可ラベルであり、ファクシミリ基板５１の認可情報が記載されている。
【００４６】
コントローラボックス３３内には、図６に示すように、第１スロット４４から挿入されるファクシミリ基板５１（第１基板５２および第２基板５３）の端子部が接続される第１コネクタ６２（接続部）が設けられている。また、コントローラボックス３３内には、第２スロット４５から挿入されるコンパクトフラッシュメモリが接続される第２コネクタが設けられている。なお、第２コネクタは、第１コネクタ６２と同様な構成を有しているので、第２コネクタの図示を省略する。ファクシミリ基板５１の端子部が第１コネクタ６２に接続されることで、ファクシミリ基板５１と主制御基板３４とが電気的に接続される。また、コンパクトフラッシュメモリの端子部が第２コネクタに接続されることで、コンパクトフラッシュメモリと主制御基板３４とが電気的に接続される。
【００４７】
上記構成のファクシミリ基板５１が挿入される第１スロット４４は、図４に示すように、第１基板５２が挿入可能な形状を有する第１孔部分６３と、第２基板５３が挿入可能な形状を有する第２孔部分６４とを有する。
【００４８】
また、第１スロット４４の第１孔部分６３の近傍位置には、開口６５が設けられている。開口６５は、ファクシミリ基板アセンブリ５０の第２平板部５８および延設片５６が挿入可能な形状を有している。開口６５について、図４に加え、図７を参照しながら説明する。図７は、背面カバー２７の一部拡大斜視図であり、コントローラボックス３３の左側板３８に対する近傍部分を示す。開口６５は、背面カバー２７に形成されている。
【００４９】
具体的には、背面カバー２７は、装置本体２の背面フレーム３０に対向する平板部６６と、平板部６６の左縁部に一体に形成された左側板６７（以下、カバー側板という）とを有する。カバー側板６７は、コントローラボックス３３の左側板３８に隣接して、かつ左側板３８に沿って延びる。カバー側板６７における左側板３８よりの縁部６８は、コントローラボックス３３の左側板３８におけるカバー側板６７側の縁部６９と接触している。したがって、コントローラボックス３３の左側板３８の表面７０（以下、第１側面という）と、背面カバー２７のカバー側板６７の表面７１（以下、第２側面という）とは、装置本体２の前後方向において隣り合っている。
【００５０】
コントローラボックス３３の左側板３８には、第１スロット４４が貫設されているため、第１側面７０は、ファクシミリ基板アセンブリ５０のファクシミリ基板５１が挿入される挿入方向に向く面である。また、背面カバー２７の第２側面７１も、ファクシミリ基板５１が挿入される挿入方向に向く面である。
【００５１】
開口６５は、第２側面７１に形成されている。より具体的には、開口６５は、カバー側板６７の縁部６８における第１スロット４４近傍の部分を切り欠くことにより、カバー側板６７の縁部６８と左側板３８の縁部６９との間に形成された空間である。開口６５の縁部６９に沿う寸法は、ファクシミリ基板アセンブリ５０の第２平板部５８の長手方向寸法よりも若干大きく設定されている。
【００５２】
背面カバー２７は、カバー側板６７から平板部６６にわたる所定の範囲にわたって切り欠かれており、増設用カバー２８は、その背面カバー２７の切り欠き部分に合致する形状を有している。増設用カバー２８によって覆われる空間Ｓ内には、上述したコントローラボックス３３の増設メモリ用カバー４２が位置していると共に、収容部７２が増設メモリ用カバー４２の下方に位置している。空間Ｓは、背面カバー２７の本体部５５の裏面７３に立設された壁部７４によって区画されている。収容部７２は、壁部７４に一体に形成されている。収容部７２は、ファクシミリ基板アセンブリ５０の延設片５６を収容することが可能な形状に設定されている。背面カバー２７は、本発明の第２カバー部材の一例である。
【００５３】
また、増設用カバー２８には、図２に示すように窓部７６が形成されている。窓部７６の形成位置は、増設用カバー２８が装置本体２に装着された状態（つまり、増設用カバー２８が空間Ｓを覆った状態）で収容部７２に対応する位置である。したがって、収容部７２は、窓部７６を通して常に外部に露出している。
【００５４】
図８は、コントローラボックス３３の拡大斜視図であり、第１スロット４４にファクシミリ基板５１が挿入され、第２スロット４５にコンパクトフラッシュメモリ７５が挿入された状態を示す。なお、図８では、増設用カバー２８のみが取り外された状態を示している。ファクシミリ基板アセンブリ５０は、次のようにしてコントローラボックス３３に装着される。すなわち、まず、増設用カバー２８を取り外して、第１スロット４４を外部に露出させる（図４に示す状態）。そして、ファクシミリ基板５１の第１基板５２を、第１スロット４４の第１孔部分６３に合わせると共に、第２基板５３を、第１スロット４４の第２孔部分６４に合わせる。その状態から、ファクシミリ基板５１を第１スロット４４に挿入する。
【００５５】
背面カバー２７のカバー側板６７における第１スロット４４の近傍部分には、開口６５が形成されているので、ファクシミリ基板アセンブリ５０の延設片５６は、ファクシミリ基板５１の第１スロット４４への挿入に伴い、開口６５に挿通され、背面カバー２７の空間Ｓ内に突出する。開口６５の存在により、延設片５６はカバー側板６７に衝突しない、つまり、カバー側板６７は延設片５６と干渉しない。
【００５６】
そして、ファクシミリ基板５１をさらに押し込むと、ファクシミリ基板５１が第１コネクタ６２（図６）に接続されると共に、延設片５６が収容部７２内に収容される。これにより、ファクシミリ基板５１が、図８に示すように、第１スロット４４に適正に挿入された状態、ひいてはファクシミリ基板アセンブリ５０がコントローラボックス３３に適正に装着された状態が得られる。なお、ファクシミリ基板５１が第１スロット４４に適正に挿入された状態では、保持部材５４の第２平板部５８も開口６５に挿入された状態となる。また、ファクシミリ基板アセンブリ５０はビス等で左側板３８に固定される。
【００５７】
上記のように、ファクシミリ基板５１が第１スロット４４に挿入されれば、ファクシミリ基板アセンブリ５０はコントローラボックス３３に適正に装着されるが、第１スロット４４および第２スロット４５は互いに略同一の形状を有しているので、ユーザがファクシミリ基板５１を第２スロット４５に誤挿入する虞がある。
【００５８】
しかしながら、本実施形態では、ファクシミリ基板５１の第２スロット４５への誤挿入は次のようにして防止される。すなわち、背面カバー２７のカバー側板６７における第２スロット４５の近傍部分には、延設片５６が挿通可能な開口が形成されていないので、ファクシミリ基板５１が第２スロット４５に挿入されると、延設片５６はカバー側板６７に衝突する。つまり、カバー側板６７は、延設片５６と干渉して、ファクシミリ基板５１の第２スロット４５への挿入動作を遮る。これにより、ファクシミリ基板５１の第２スロット４５への誤挿入が防止される。その結果、ファクシミリ基板５１の誤挿入に気付いたユーザは、ファクシミリ基板５１を第１スロット４４に適正に挿入することができる。このように、本実施形態では、延設片５６による単純な干渉構造でファクシミリ基板５１の誤挿入を防止している。本実施形態では、延設片５６および開口６５が誤挿入防止部を構成している。
【００５９】
また、ファクシミリ基板アセンブリ５０がコントローラボックス３３に適正に装着された状態では、延設片５６は収容部７２内に収容されている。増設用カバー２８に形成された窓部７６は、外部からの延設片５６の視認を許容するので、延設片５６の第２面６０（貼り付け面）に貼り付けられたラベル６１を確認することができる。
【００６０】
上記した実施形態では、開口６５を、背面カバー２７のカバー側板６７の縁部６８を切り欠くことにより形成した場合につき説明したが、開口６５の形成位置は、カバー側板６７の縁部６８に限定されない。例えば、開口６５は、縁部６８と、縁部６８とは反対側の縁部７７との間の領域において形成してもよい。代わりに、開口６５は、コントローラボックス３３の左側板３８の縁部６９と、第１スロット４４の第１孔部分６３との間の領域に形成してもよい。いずれの場合においても、延設片５６による単純な干渉構造でファクシミリ基板５１の誤挿入を防止することができる。
【符号の説明】
【００６１】
１  画像形成装置（電気機器）
２  装置本体
２７  背面カバー
２８  増設用カバー
３３  コントローラボックス
３８  左側板
４４  第１スロット（第１挿入口）
４５  第２スロット（第２挿入口）
５０  ファクシミリ基板アセンブリ
５１  ファクシミリ基板
５５  保持部材
５６  延設片（誤挿入防止片）
６１  ラベル
６２  第１コネクタ（接続部）
６５  開口
６７  カバー側板
７５  コンパクトフラッシュメモリ
【図１】
0005470229.tif 000002
【図２】
0005470229.tif 000003
【図３】
0005470229.tif 000004
【図４】
0005470229.tif 000005
【図５】
0005470229.tif 000006
【図６】
0005470229.tif 000007
【図７】
0005470229.tif 000008
【図８】
0005470229.tif 000009